(57)【特許請求の範囲】
【請求項１】
ポケット開口部を有すると共にこの開口部の周囲に内装パネル側溶着部を有する内装パネルと、
ポケット凹部を有すると共にこのポケット凹部の周囲に前記内装パネルの前記内装パネル側溶着部と溶着されるポケットパネル側溶着部を有するポケットパネルと、
前記内装パネルの前記ポケット開口部の一部を覆う位置に配置され、前記内装パネル側溶着部と前記ポケットパネル側溶着部に縁部の一部が挟まれるネットとを備え、
前記内装パネル、前記ポケットパネル及び前記ネットは、同一の材料により構成され、前記内装パネルの前記内装パネル側溶着部がテーパ面として形成されていることを特徴とするネットを有するポケット構造。
【請求項２】
ポケット開口部を有すると共にこの開口部の周囲に内装パネル側溶着部を有する内装パネルと、
ポケット凹部を有すると共にこのポケット凹部の周囲に前記内装パネルの前記内装パネル側溶着部と溶着されるポケットパネル側溶着部を有するポケットパネルと、
前記内装パネルの前記ポケット開口部の一部を覆う位置に配置され、前記内装パネル側溶着部と前記ポケットパネル側溶着部に縁部の一部が挟まれるネットとを備え、
前記内装パネル、前記ポケットパネル及び前記ネットは、同一の材料により構成され、前記ポケットパネルの前記ポケットパネル側溶着部がテーパ面として形成されていることを特徴とするネットを有するポケット構造。
【請求項３】
ポケット開口部を有すると共にこの開口部の周囲に内装パネル側溶着部を有する内装パネルと、
ポケット凹部を有すると共にこのポケット凹部の周囲に前記内装パネルの前記内装パネル側溶着部と溶着されるポケットパネル側溶着部を有するポケットパネルと、
前記内装パネルの前記ポケット開口部の一部を覆う位置に配置され、前記内装パネル側溶着部と前記ポケットパネル側溶着部に縁部の一部が挟まれるネットとを備え、
前記内装パネル、前記ポケットパネル及び前記ネットは、同一の材料により構成され、前記内装パネルの前記内装パネル側溶着部及び前記ポケットパネルの前記ポケットパネル側溶着部がテーパ面として形成されていることを特徴とするネットを有するポケット構造。
【発明の詳細な説明】
【０００１】
【発明の属する技術分野】
この発明は、車両の内装パネルに設置されたネットを有するポケット構造に関するものである。
【０００２】
【従来の技術】
従来、車両の内装パネル等には、乗員が使用する小物等を収納するためのネットを有するポケットが設けられている。図７の部分断面図に示すように、このネットを有するポケットは、ポケット凹部７０ａを有するポケットパネル７０と、ポケット凹部７０ａの一部を覆うように配置されたネット７２と、ポケットパネル７０のポケット凹部７０ａに対応する形状のポケット開口部を有する内装パネル７４により構成され、内装パネル７４とポケットパネル７０がネット７２を挟むように配置され、内装パネル７４の溶着凹部（溶着部）７４ａ、ネット７２及びポケットパネル７０の溶着代７０ｂが一体となるように振動溶着により固定されている。
【０００３】
【発明が解決しようとする課題】
上述のネットを有するポケットは、ポケットパネル７０及び内装パネル７４がフィラー入りポリプロピレン（ＰＰＦ）等の材料で製造されているが、ネットは、ポリエチレン（ＰＥ）等ポケットパネル７０及び内装パネル７４とは異なる材料で製造されていた。即ち、異なる材料で製造されたポケットパネル７０及び内装パネル７４でネット７２を挟んで、振動溶着を行うことにより、振動溶着の際にネットの切れが生じるのを防止していた。
【０００４】
しかしなが、ポケットパネル７０及び内装パネル７４とネット７２とが異なる材料で製造されていることからリサイクル時には、分解が必要となるが振動溶着されているため分解が困難であった。
【０００５】
この発明の課題は、製造時における振動溶着の際にネットに切れが発生するのを防止すると共に、リサイクルが容易なネットを有するポケット構造を提供することである。
【０００６】
【課題を解決するための手段】
請求項１記載のネットを有するポケット構造は、ポケット開口部を有すると共にこの開口部の周囲に内装パネル側溶着部を有する内装パネルと、ポケット凹部を有すると共にこのポケット凹部の周囲に内装パネルの内装パネル側溶着部と溶着されるポケットパネル側溶着部を有するポケットパネルと、内装パネルのポケット開口部の一部を覆う位置に配置され、内装パネル側溶着部とポケットパネル側溶着部に縁部の一部が挟まれるネットとを備え、内装パネル、ポケットパネル及びネットは、同一の材料により構成され、内装パネルの内装パネル側溶着部がテーパ面として形成されていることを特徴とする。
【０００７】
また、請求項２記載のネットを有するポケット構造は、ポケット開口部を有すると共にこの開口部の周囲に内装パネル側溶着部を有する内装パネルと、ポケット凹部を有すると共にこのポケット凹部の周囲に内装パネルの内装パネル側溶着部と溶着されるポケットパネル側溶着部を有するポケットパネルと、内装パネルのポケット開口部の一部を覆う位置に配置され、内装パネル側溶着部とポケットパネル側溶着部に縁部の一部が挟まれるネットとを備え、内装パネル、ポケットパネル及びネットは、同一の材料により構成され、ポケットパネルのポケットパネル側溶着部がテーパ面として形成されていることを特徴とする。
【０００８】
また、請求項３記載のネットを有するポケット構造は、ポケット開口部を有すると共にこの開口部の周囲に内装パネル側溶着部を有する内装パネルと、ポケット凹部を有すると共にこのポケット凹部の周囲に内装パネルの内装パネル側溶着部と溶着されるポケットパネル側溶着部を有するポケットパネルと、内装パネルのポケット開口部の一部を覆う位置に配置され、内装パネル側溶着部とポケットパネル側溶着部に縁部の一部が挟まれるネットとを備え、内装パネル、ポケットパネル及びネットは、同一の材料により構成され、内装パネルの内装パネル側溶着部及びポケットパネルのポケットパネル側溶着部がテーパ面として形成されていることを特徴とする。
【０００９】
この請求項１〜請求項３記載のネットを有するポケット構造によれば、振動溶着される内装パネルの内装パネル側溶着部及びポケットパネルのポケットパネル側溶着部の少なくとも一方がテーパ面として形成されているため、同一の材料により構成されている内装パネルの内装パネル側溶着部及びポケットパネルのポケットパネル側溶着部によりネットを挟んで振動溶着する際においても、ネットに切れが発生するのを防止することができる。また、内装パネル、ポケットパネル及びネットは、同一の材料により構成されているため、分解することなくリサイクルすることができる。
【００１０】
【発明の実施の形態】
以下、図面を参照して、この発明の第１の実施の形態にかかるネットを有するポケット(以下、ネット付きポケットという。)構造について説明する。図１は、インストルメントパネル及びコンソールボックスを乗員シート側から見た図である。この図に示すように、ネット付きポケット２は、インストルメントパネル下部のコンソールボックスを形成する内装パネルに設置されている。
【００１１】
図２は、ネットを有するポケット２の拡大図である。このネット付きポケット２は、略三角形をしたポケット凹部４ａを有するポケットパネル４、ポケット凹部４ａの一部を覆うように配置された上端部に帯部６ａを有するネット６及びポケットパネル４のポケット凹部４ａに対応する形状のポケット開口部を有する内装パネル８により構成されている。
【００１２】
図３は、図２に示すネット付きポケット２のＡ−Ａ断面図である。この図３に示すように、ネット付きポケット２は、内装パネル８とポケットパネル４とがネット６を挟むように配置され、内装パネル８の内装パネル側溶着部８ａ、ネット６及びテーパ面として形成されているポケットパネル４のポケットパネル側溶着部４ｂが一体となるように、振動溶着により固定されている。なお、このネット付きポケット２を構成する、ポケットパネル４、ネット６及び内装パネル８は、何れもオレフィン系樹脂により製造されている。
【００１３】
また、図４は、図３に示すＡ−Ａ断面を用いてネット付きポケット２の製造工程を示す図である。この図４に示すように、ネット付きポケット２を製造する場合には、振動溶着装置の下部溶着冶具１０と上部溶着冶具１２との間に、ポケットパネル４、ネット６及び内装パネル８を配置する。具体的には、下部溶着冶具１０の内装パネル８の形状と一致する窪み部分に、内装パネル側溶着部８ａが設けられている面を上にして内装パネル８をはめ込むようにして内装パネル８を配置する。次に、内装パネル８のポケット開口部のうち、略三角形をしている底辺部分を含む略下半分を覆うようにしてネット６を配置する。
【００１４】
次に、内装パネル上に配置されたネット６を、ポケットパネル側溶着部４ｂが設けられている面を下にしたポケットパネル４で挟むようにしてポケットパネル４を配置する。ここで、ポケットパネル４は、ポケットパネル４のポケットパネル側溶着部４ｂが内装パネル８の内装パネル側溶着部８ａ上に位置するように配置される。なお、ポケットパネル４のポケットパネル側溶着部４ｂは、ネット６の帯部６ａに対応する位置を除くポケット凹部４ａ外縁に設けられており、内装パネル８の内装パネル側溶着部８ａは、ポケット開口部の外縁に設けられている。
【００１５】
上述のように下部溶着冶具１０上に内装パネル８、ネット６及びポケットパネル４を配置した後に、ポケットパネル４上に上部溶着冶具１２を配置し、下部溶着冶具１０と上部溶着冶具１２により全体を固定して内装パネル８の内装パネル側溶着部８ａとポケットパネル４のポケットパネル側溶着部４ｂとを圧接させる。そして、圧接した後に、振動溶着により内装パネル８にポケットパネル４及びネット６を同時に溶着する。ここで、振動溶着は、振動溶着装置の上下の溶着冶具１０，１２の何れか一方を固定し、固定していない一方を振動発生機構により特定の方向に振動させてポケットパネル４のポケットパネル側溶着部４ｂ及び内装パネル８の内装パネル側溶着部８ａを溶解させる。それにより、ポケットパネル４のポケットパネル側溶着部４ｂと内装パネル８の内装パネル側溶着部８ａが溶着され、内装パネル８にポケットパネル４及びネット６を同時に固定される。
【００１６】
この第１の実施の形態のネットを有するポケット構造によれば、振動溶着されるポケットパネル４のポケットパネル側溶着部４ｂがテーパ面として形成されているため、同一の材料により構成されている内装パネル８の内装パネル側溶着部８ａ及びポケットパネル４のポケットパネル側溶着部４ｂによりネット６を挟んで振動溶着する際においても、ネット６に切れが発生するのを防止することができる。また、内装パネル８、ポケットパネル４及びネット６は、同一の材料により構成されているため、分解することなくリサイクルすることができる。
【００１７】
次に、図５を参照して、この発明の第２の実施の形態にかかるネットを有するポケット構造について説明する。なお、第１の実施の形態にかかるネットを有するポケットと同一の構成には、同一の符号を付して説明を行う。
【００１８】
図５は、第１の実施の形態のネット付きポケット２(図２参照)のＡ−Ａと同一の位置における断面図である。図５に示すように、このネット付きポケットは、内装パネル８とポケットパネル４とがネット６を挟むように配置され、テーパ面として形成されている内装パネル８の内装パネル側溶着部８ａ、ネット６及びポケットパネル４のポケットパネル側溶着部４ｂが一体となるように、振動溶着により固定されている。なお、このネット付きポケット２を構成する、ポケットパネル４、ネット６及び内装パネル８は、何れもオレフィン系樹脂により製造されている。また、振動溶着は、第１の実施の形態のネット付きポケットと同様な方法により行われる。
【００１９】
この第２の実施の形態にかかるネット付きポケット構造によれば、振動溶着される内装パネル８の内装パネル側溶着部８ａがテーパ面として形成されているため、同一の材料により構成されている内装パネル８の内装パネル側溶着部８ａ及びポケットパネル４のポケットパネル側溶着部４ｂによりネット６を挟んで振動溶着する際においても、ネット６に切れが発生するのを防止することができる。また、内装パネル８、ポケットパネル４及びネット６は、同一の材料により構成されているため、分解することなくリサイクルすることができる。
【００２０】
次に、図６を参照して、この発明の第３の実施の形態にかかるネットを有するポケット構造について説明する。なお、第１の実施の形態にかかるネットを有するポケットと同一の構成には、同一の符号を付して説明を行う。
【００２１】
図６は、第１の実施の形態のネット付きポケット２(図２参照)のＡ−Ａと同一の位置における断面図である。図６に示すように、このネット付きポケットは、内装パネル８とポケットパネル４とがネット６を挟むように配置され、テーパ面として形成されている内装パネル８の内装パネル側溶着部８ａ、ネット６及びテーパ面として形成されているポケットパネル４のポケットパネル側溶着部４ｂが一体となるように、振動溶着により固定されている。なお、このネット付きポケット２を構成する、ポケットパネル４、ネット６び内装パネル８は、何れもオレフィン系樹脂により製造されている。また、振動溶着は、第１の実施の形態のネット付きポケットと同様な方法により行われる。
【００２２】
この第３の実施の形態にかかるネット付きポケット構造によれば、振動溶着される内装パネル８の内装パネル側溶着部８ａ及びポケットパネル４のポケットパネル側溶着部４ｂがテーパ面として形成されているため、同一の材料により構成されている内装パネル８の内装パネル側溶着部８及びポケットパネル４のポケットパネル側溶着部４ｂによりネット６を挟んで振動溶着する際においても、ネット６に切れが発生するのを防止することができる。また、内装パネル８、ポケットパネル４及びネット６は、同一の材料により構成されているため、分解することなくリサイクルすることができる。
【００２３】
【発明の効果】
この発明によれば、振動溶着される内装パネルの内装パネル側溶着部及びポケットパネルのポケットパネル側溶着部の少なくとも一方がテーパ面として形成されているため、同一の材料により構成されている内装パネルの内装パネル側溶着部及びポケットパネルのポケットパネル側溶着部によりネットを挟んで振動溶着する際においても、ネットに切れが発生するのを防止することができる。また、内装パネル、ポケットパネル及びネットは、同一の材料により構成されているため、分解することなくリサイクルすることができる。
【図面の簡単な説明】
【図１】第１の実施の形態にかかるネットを有するポケットの設置場所を示す図である。
【図２】第１の実施の形態にかかるネットを有するポケットの拡大図である。
【図３】第１の実施の形態にかかるネットを有するポケット（図２）のＡ−Ａ断面図である。
【図４】第１の実施の形態にかかるネットを有するポケットの製造工程を説明するための図である。
【図５】第２の実施の形態にかかるネット付きポケットの断面図である。
【図６】第３の実施の形態にかかるネット付きポケットの断面図である。
【図７】従来のネットを有するポケット構造を示す図である。
【符号の説明】
２…ネットを有するポケット、４…ポケットパネル、４ａ…ポケット凹部、４ｂ…ポケットパネル側溶着部、６…ネット、６ａ…帯部、８…内装パネル、８ａ…内装パネル側溶着部。
【図１】
0004471540.tif 000002
【図２】
0004471540.tif 000003
【図３】
0004471540.tif 000004
【図４】
0004471540.tif 000005
【図５】
0004471540.tif 000006
【図６】
0004471540.tif 000007
【図７】
0004471540.tif 000008